(57)【特許請求の範囲】
【請求項１】
苗箱４が複数のコンベア１ａ、１ｂ、２、３上を引き継がれて移送され、移送上手側から順に床土供給装置５にて床土が供給され、均平装置６ｂにて余分な床土が排除され、野菜・花卉播種時には点播型播種装置７ａで水稲播種時には散播型播種装置７ｂで播種され、覆土供給装置８にて覆土され、灌水装置９にて灌水される播種機において、前記灌水装置９には野菜・花卉播種時に霧状に散水する霧状灌水部と、水稲播種時に薄膜状に散水する棒状灌水部とを苗箱移送方向に対しそれぞれ複数箇所に、且つ、霧状灌水部と棒状灌水部とが苗箱移送方向で交互に位置するように設けたことを特徴とする播種機。
【発明の詳細な説明】
【０００１】
【産業上の利用分野】
この発明は、播種機に関するものである。
【０００２】
【従来技術とその課題】
従来の播種機は、コンベアにて移送される苗箱が、その前後のものが接当した連続状態で移送され、床土供給装置・播種装置・覆土供給装置・灌水装置において無駄のない作業が行なえるように構成されている。
本発明は、灌水装置にて灌水するときに、野菜・花卉播種時には覆土の飛散や種子の移動を防止し、水稲播種時には高能率に灌水することを課題とする。
【０００３】
【課題を解決するための手段】
上記の課題を解決するために、この発明は、苗箱４が複数のコンベア１ａ、１ｂ、２、３上を引き継がれて移送され、移送上手側から順に床土供給装置５にて床土が供給され、均平装置６ｂにて余分な床土が排除され、野菜・花卉播種時には点播型播種装置７ａで水稲播種時には散播型播種装置７ｂで播種され、覆土供給装置８にて覆土され、灌水装置９にて灌水される播種機において、前記灌水装置９には野菜・花卉播種時に霧状に散水する霧状灌水部と、水稲播種時に薄膜状に散水する棒状灌水部とを苗箱移送方向に対しそれぞれ複数箇所に、且つ、霧状灌水部と棒状灌水部とが苗箱移送方向で交互に位置するように設けたことを特徴とする播種機としたものである。
【０００４】
【発明の作用効果】
苗箱４が複数のコンベア１ａ、１ｂ、２、３上を引き継がれて移送され、移送上手側から順に床土供給装置５にて床土が供給され、均平装置６ｂにて余分な床土が排除され、野菜・花卉播種時には点播型播種装置７ａで水稲播種時には散播型播種装置７ｂで播種され、覆土供給装置８にて覆土され、灌水装置９にて灌水される。野菜・花卉播種時には霧状灌水部で霧状に散水し、水稲播種時には棒状灌水部で薄膜状に散水する。よって、野菜・花卉播種時には覆土の飛散や種子の移動を防止し、水稲播種時には高能率に灌水することができる。
【０００５】
【実施例】
以下、図面に示すこの発明の一実施例について説明する。まず、播種機の全体的な構成を述べる。この播種機は、連続移送用の第１コンベア１ａ・第２コンベア１ｂと、連続移送と間歇移送とを切替可能な播種コンベア２と、連続移送用の第３コンベア３とが移送上手側から順に連ねて設置されており、その各コンベア１ａ、１ｂ、２、３上を順に引き継がれて苗箱４が移送されていくようになっている。そして、第１コンベア１ａ上に床土供給装置５、第２コンベア１ｂ上に鎮圧・均平装置６が順に設置され、播種コンベア２上に点播型播種装置７ａが設置され、第３コンベア３上に散播型播種装置７ｂ、覆土供給装置８、棒状灌水と霧状灌水が切換えられる灌水装置９が設置されている。
【０００６】
次に、上記播種機の各装置について詳述する。第１コンベア１ａは、フレ−ムで支持されたプ−リ−軸１ｃ、１ｄにプ−リ１ｅ、１ｆがそれぞれ取り付けられ、そのプ−リ−１ｅ・１ｆ間に移送ベルト１ｇが巻き掛けられ、一方のプ−リ−軸１ｃが移送モ−タＭ１で駆動回転される。これにより、フレ−ム間の移送ベルト１ｇ…上に載せられた苗箱４は、移送モ−タ−Ｍ１が回転するときはベルト移動方向に速度Ｖ１にて連続移送し、停止するときは移送停止される。
【０００７】
第２コンベア１ｂは、フレ−ムで支持されたコンベアロール軸１ｈ…にコンベアベルト１ｉが巻き掛けられ、該コンベアロール軸１ｈ…に設けたスプロケット１ｊ…と前記プ−リ−軸１ｃに設けたスプロケット１ｋとにチェン１ｍを巻回して、移送モ−タＭ１で駆動回転される構成となっている。そして、スプロケット１ｊ…の歯数はスプロケット１ｋの歯数よりも少なく構成されており、即ち、該スプロケット１ｋ・１ｊ…間にて増速回転する構成となっており、第２コンベア１ｂ上に載せられた苗箱４は、第１コンベア１ａ上に載せられた苗箱４の移動速度Ｖ１よりも早い速度Ｖ２にて移送される。
【０００８】
播種コンベア２は、フレ−ム２ａ・２ａで支持されたロ−ラ−軸２ｂ、２ｃにロ−ラ−２ｄ、２ｅがそれぞれ取り付けられ、そのロ−ラ−２ｄ・２ｅ間に移送ベルト２ｆが巻き掛けられている。そして、一方のロ−ラ−軸２ｂ、即ち播種コンベア２の駆動軸には、連続移送用の駆動モ−タＭ２による連続駆動機構と、間歇移送用のエア−シリンダ−Ｃ１による間歇駆動機構とが連動連結している。具体的には、まず、ロ−ラ−軸２ｂには、連続移送用のスプロケット１０が連続駆動側一方向クラッチ１０ａを介して取り付けられ、そのスプロケット１０と駆動モ−タ−Ｍ２の駆動軸１２に一体回転するように取り付けた連続駆動スプロケット１２ａとの間にチェン１３が掛けられて、連続駆動機構が構成されている。これにより、連続駆動側一方向クラッチ１０ａを境界に連続駆動側（駆動モ−タ−Ｍ２側）とロ−ラ−軸２ｂ側とにおいて、連続駆動側が駆動側となるときには連続駆動側からロ−ラ−軸２ｂへ伝動し、ロ−ラ−軸２ｂ側が駆動側となるときにはロ−ラ−軸２ｂから連続駆動側へは伝動しない。即ち、駆動モ−タ−Ｍ２が駆動回転するとき、その駆動モ−タ−Ｍ２の連続回転がロ−ラ−軸２ｂへ伝動して播種コンベア２が連続移送状態になる。駆動モ−タ−Ｍ２が駆動しないときには、間歇駆動機構によりロ−ラ−軸２ｂ側が間歇駆動されても、駆動モ−タ−Ｍ２は強制的に回転されることはない。
【０００９】
また、ロ−ラ−軸２ｂには、間歇移送用のスプロケット１１が取り付けられ、そのスプロケット１１と間歇駆動軸１４に一体回転するように取り付けた間歇駆動スプロケット１５とにチェン１６が掛けられ、更に、間歇駆動軸１４に、遊端側が間歇駆動用のエア−シリンダ−Ｃ１のピストンＣ１ａが連結するア−ム１８ａの基部が固着するア−ム筒１８が間歇駆動側一方向クラッチ１７を介して取り付けられて、間歇駆動機構が構成されている。間歇駆動側一方向クラッチ１７により、エア−シリンダＣ１のピストンＣ１ａが突出してア−ム筒１８が回転するときは間歇駆動軸１４が一体回転するよう伝動され、エア−シリンダＣ１のピストンＣ１ａが引っ込んでア−ム筒１８が逆回転するときは間歇駆動軸１４は無駆動となり伝動しない。これにより、エア−シリンダＣ１のピストンＣ１ａが所定のタイミングで一定ストロ−ク作動すると、間歇駆動軸１４が一定角度づつ間歇に回転してロ−ラ−軸２ｂが間歇駆動回転し、播種コンベア２が間歇移送状態となる。また、間歇駆動側一方向クラッチ１７を境界に間歇駆動側（エア−シリンダＣ１側）とロ−ラ−軸２ｂ側との間で、間歇駆動側が駆動側となるときには間歇駆動側からロ−ラ−軸２ｂへ伝動して前述の通り間歇回転がロ−ラ−軸２ｂへ伝動し、エア−シリンダＣ１が作動せず、連続駆動機構によりロ−ラ−軸２ｂ側が連続駆動されても、間歇駆動側一方向クラッチ１７からエア−シリンダＣ１側へはその連続回転が伝動することはない。
【００１０】
ところで、播種コンベア２の間歇移送は、育苗ポットＰのポットｐ…一列分づつ或は数列分づつ正確に且つ迅速に間歇移送しなければならないので、ロ−ラ−軸２ｂが所定量回転したら、直ちに停止し、播種動作が終了すれば、再び直ちに回転し始めなければならない。そこで、上記播種コンベア２の駆動機構において、連続移送用のスプロケット１０がロ−ラ−軸２ｂに一体回転するように取り付けられず連続駆動側一方向クラッチ１０ａが介装されて取り付けられていることにより、以下の点の効果が生じている。即ち、エア−シリンダＣ１が作動して間歇駆動機構側からロ−ラ−軸２ｂが間歇回転駆動されたときに、その回転は連続駆動側一方向クラッチ１０ａから駆動モ−タ−Ｍ２側には伝動されず、モ−タ−Ｍ２が強制的に回転されることはない。これにより、間歇駆動時におけるロ−ラ−軸２ｂの慣性重量を小さく留めることができる。よって、エア−シリンダＣ１のピストンＣ１ａが所定のストロ−ク突出した後のロ−ラ−軸２ｂ側の惰性回転を抑えることができ、また、エア−シリンダＣ１のピストンＣ１ａの突出時の負荷を小さくできて、所定の移送量づつ正確且つ迅速な間歇移送ができるようになる。これにより、各ポットｐ…の中央により正確に播種されるようになって播種精度が向上し、また、播種作業スピ−ドも高められて播種能率も向上する。尚、ＢＬはブレ−キ装置で、間歇移送用のスプロケット１１に一体の回転ディスク１１ａを挾み込んでロ−ラ−軸２ｂにブレ−キ作用を施すもので、前述の間歇駆動時におけるロ−ラ−軸２ｂの惰性回転を更に抑えるためのものである。
【００１１】
以上のように、播種コンベア２の駆動機構が構成されたので、移送ベルト２ｆ上に載せられた苗箱４は、モ−タ−Ｍ２とエア−シリンダＣ１の作動切替により、ベルト移動方向に連続移送或は間歇移送される。そして、モ−タ−Ｍ２により移送ベルト２ｆ上に載せられた苗箱４が連続移送されるときの速度は、第１コンベア１ａ上に載せられた苗箱４の移動速度Ｖ１と同じ速度Ｖ１になるように構成されており、エア−シリンダＣ１により間歇移送される速度は当然に速度Ｖ１よりも遅い速度Ｖ３となる。
【００１２】
第３コンベア３は、第２コンベア１ｂと同様に、フレ−ムで支持されたコンベアロール軸３ａ…にコンベアベルト３ｂが巻き掛けられ、該コンベアロール軸３ａ…に設けたスプロケット３ｃ…にチェン３ｄを巻回して、移送モ−タＭ３で駆動される構成となっている。これにより、フレ−ム間のコンベアベルト３ｂ上に載せられた苗箱４は、移送モ−タ−Ｍ３が回転するときはベルト移動方向に連続移送、停止するときは移送停止される。尚、第３コンベア３上に載せられた苗箱４は、第１コンベア１ａ上に載せられた苗箱４の移動速度Ｖ１と同じ速度Ｖ１にて移送されるように構成している。
【００１３】
苗箱４は、一般的に用いられている縦横３０ｃｍ×６０ｃｍの大きさのもので、この箱内に合成樹脂性の育苗ポットＰが載置される。この育苗ポットＰは、小さなポットｐ…の口縁部側が縦横に連結し、底部（孔が一つ開けられている）側が独立した形態で、縦横１０個×２０個のポットｐ…が縦横に整然と配列し連結したものである。この育苗ポットＰの小さなポットｐ…の一つ一つの中に床土が詰められ、播種され、覆土され、そして、灌水される。
【００１４】
床土供給装置５は、床土ホッパ−５ａとベルト式の床土繰出部５ｂからなる。床土繰出部５ｂは、モ−タ−Ｍ４により回転駆動されるロ−ラ−５ｃと従動ロ−ラ−５ｄとにベルト５ｅが巻き掛けられ、そのベルト５ｅの回転により上部の床土ホッパ−５ａ内の床土を定量づつ繰出し、この装置５の下をくぐるように移送される苗箱４内にその床土が供給されていく。
【００１５】
鎮圧・均平装置６は、播種切り換えスイッチＳＷが野菜・花卉播種用に切り換えられると、鎮圧装置としての鎮圧ロ−ラ−６ａ・６ａが鎮圧作用状態に、切り換えスイッチＳＷが水稲播種用に切り換えられると、鎮圧ロ−ラ−６ａ・６ａが鎮圧非作用状態に切り替わるようになっている。鎮圧ロ−ラ−６ａは、左右の鎮圧支持フレ−ム６ｃ、６ｃに枢支された左右のロ−ラ−ア−ム６ｄ、６ｄの間に回動自在に軸支され、ロ−ラ−ア−ム６ｄ、６ｄと鎮圧支持フレ−ム６ｃ、６ｃの間に掛けられた鎮圧スプリングＳＰ、ＳＰにより移送されてくる苗箱４内の床土Ｂを上から押圧作用して鎮圧作用状態となる。鎮圧非作用状態に切り替わるときは、ソレノイドＳＯＬのピンが突出し、それに連結するロ−ラ−ア−ム６ｄ、６ｄを回動させて鎮圧ロ−ラ−６ａを上動させて、鎮圧ロ−ラ−６ａ、６ａの下方を通過する苗箱４内の床土Ｂに接触しない位置に移動させるようになっている。鎮圧ロ−ラ−６ａ、６ａの下手側には均平装置としての均平ブラシ６ｂが前記モ−タ−Ｍ４から伝動されて駆動回転するように設けられている。
【００１６】
点播型播種装置７ａは、種子Ｓ…を一粒づつ吸着する吸着ノズル１９…が、エア−タンク２０に前記育苗ポットＰの左右方向のポットｐ…の数（１０個）だけ取り付けられている。エア−タンク２０はバキュウム装置Ｖと連結しており、吸着ノズル１９…が種子Ｓ…を収容する種子受け樋２１上に移動したときにバキュウム装置Ｖが吸引作動し、受け樋２１に収容された種子Ｓ…をノズル１９…の先端口にそれぞれ一粒づつ吸着する。そして、吸着ノズル１９…の先端口に種子Ｓ…が吸着された状態で、エア−タンク２０の左右に設けられた移動リンク２２に連結するエア−シリンダ−Ｃ２のピストンＣ２ａが突出作動して、各ノズル１９…がそれに対応する漏斗２３…上に位置するようにエア−タンク２０が移動する。そして、前記バキュウム装置Ｖに作動が停止して逆にエア−がノズル１９…の先端口から吐出し、更に、ノズル１９…の内側のニ−ドル１９ａ…が各ノズル１９…の先端口から突出する。これにより、ノズル１９…の先端口に吸着していた種子Ｓ…が放出されて、それぞれ対応する漏斗２３…内に落下する。漏斗２３…の出口はそれぞれ播種ホ−ス２４…が連結され、そのホ−ス２４…の下端口に播種ノズル２５…が取り付けられている。よって、漏斗２３…内に落下した種子Ｓ…は播種ホ−ス２４…内を通って播種ノズル２５…の下端口から放出される。以上のように、この播種装置７ａは、吸着ノズル１９…が一粒づつ吸着して播種位置に放出するように構成されている。吸着ノズル１９…の先端口の口径は小さく設けられるので、粒径の小さい裸種子でも確実に一粒づつ播種できる。
【００１７】
更に、上記播種装置７ａの播種ノズル２５…は、その下方に移送される苗箱４内の育苗ポットＰの左右方向のポットｐ…の配列ピッチに合わせてノズル２５の下端口が各ポットｐ…の口部中央に位置するようにノズル固定部材２６で固定されている。ノズル固定部材２６は、その両端部で播種ノズル上下用シリンダＣ３、Ｃ４のピストンＣ３ａ、Ｃ４ａと連結し、また、固定部材２６の上下移動をガイドするガイド棒２７、２７に摺動自在に係合している。更に、固定部材２６の苗箱移送方向上手側に棒状の播種穴形成体２８…が播種ノズル２５…の左右方向の配列位置に合わせて取り付けられている。上下用エア−シリンダＣ３、Ｃ４のピストンＣ３ａ、Ｃ４ａが突出作動して固定部材２６が上から下に移動すると、播種穴形成体２８…がその下方に移送されてきている苗箱４内の左右横一列分のポットｐ…に対しそれぞれのポットｐ…内の床土Ｂ…上面側に播種穴Ｈ…を形成する。それと共に、播種ノズル２５…も前工程で形成されたポットｐ…内の各播種穴Ｈ…上に下動し、その播種穴Ｈ…内に一粒ずつ播種する。この間、播種コンベア２は移送停止状態にあり、横一列のポットｐ…への播種が完了すると、上下用エア−シリンダＣ３、Ｃ４のピストンＣ３ａ、Ｃ４ａが引っ込み作動して固定部材２６が下から上に移動する。その後、播種コンベア２が間歇移送作動して、苗箱４が育苗ポットＰのポット左右横方向一列分ｐ…だけ移送し再び停止する。そして、再び、上下用エア−シリンダＣ３、Ｃ４のピストンＣ３ａ、Ｃ４ａが突出作動して、播種穴形成体２８…の直下の左右一列のポットｐ…に対して播種穴Ｈ…を形成し、播種ノズル２５…の下端口直下の左右一列のポットｐ…に対して播種する。
【００１８】
上記播種装置７ａで苗箱４内の育苗ポットＰの各ポットｐ…内に播種される間は、播種コンベア２は間歇移送状態となるが、その前後は連続移送状態に切り替わる。即ち、連続移送状態で、苗箱４の先端部が位置Ｘ１（苗箱４内の育苗ポットｐ…の移送方向最前列のポットｐ…が播種穴形成体２８…の真下となる状態の苗箱４の先端位置）に移送されると、それを第１苗箱位置検出器（ここでは、接触式のリミットスイッチ）が検出し、播種コンベア２を連続移送状態から間歇移送状態に切り替える。そして、間歇移送状態にて、各ポットｐ…内に一粒づつ播種され、移送方向最後列のポットｐ…が播種ノズル２５から播種された後で、苗箱４の先端部が位置Ｘ２（苗箱４内の育苗ポットｐ…の移送方向最後列のポットｐ…が播種ノズル２５…の真下となる位置からポット一列分移送方向下手側に送られた状態での苗箱４の先端位置）に移送苗箱に穴形成体２８…の真下となる位置に移送されると、それを第２苗箱位置検出器（ここでは、接触式のリミットスイッチ）が検出し、播種コンベア２を間歇移送状態から連続移送状態に切り替える。よって、位置Ｘ１から位置Ｘ２の区間の距離は、苗箱４の移送方向の長さＬ＋α（育苗ポットＰの移送方向のポット列分＋１列）の距離となる。そして、次の苗箱４が移送上手側から前記位置Ｘ１まで移送されてくると、再び間歇移送状態に切り替わる。ところで、第１コンベア１ａは、播種コンベア２が連続移送状態のときは連続移送状態となり、播種コンベア２が間歇移送状態のときは移送停止状態となる。また、第３コンベア３は、播種コンベア２が連続移送状態、間歇移送状態にかかわらず連続移送状態となっている。
【００１９】
前記鎮圧・均平装置６の後端位置から前記位置Ｘ１までのコンベア上方が開放された区間の距離は、苗箱４の移送方向の長さＬの２倍以上のとなっている。これにより、播種装置７ａの作動中において、床土供給装置５、及び鎮圧・均平装置６の作業が完了した状態の苗箱４が、最低１箱はその区間に停止し、次の苗箱４への播種が開始されるまでその区間で待機した状態となる。よって、その区間で待機する苗箱最低１箱分について、床土の供給状態のチェックができ、また不具合があればそれを修復する作業を施すことができる。
【００２０】
尚、３１は、育苗ポットＰの各ポットｐ…に播種する種の数を設定する設定器であって、通常は、「０１」に設定しておくと、上記のようにシーダコントロールユニットにて各部が作動してエア−シリンダ−Ｃ２のピストンＣ２ａが１回突出作動して播種される度にエア−シリンダ−Ｃ１が作動して苗箱４を１ポットｐ分だけ送り、育苗ポットＰの各ポットｐ…に種子が１個づつ播種される。そして、発芽率の悪い種子を播種する時や発芽後しか種子の良否が判別できない種子を播種する時等には、育苗ポットＰの各ポットｐ…に複数個の種子をまくが、例えば、育苗ポットＰの各ポットｐ…に３個の種子をまく場合には、設定器３１を「０３」に設定しておくと、シーダコントロールユニットにて各部が作動してエア−シリンダ−Ｃ２のピストンＣ２ａが３回突出作動して３度播種されるとエア−シリンダ−Ｃ１が作動して苗箱４を１ポットｐ分だけ送り、育苗ポットＰの各ポットｐ…に種が３個づつ播種される。
【００２１】
覆土供給装置８は、覆土ホッパ−８ａとベルト式の覆土繰出部８ｂからなる。覆土繰出部８ｂは、モ−タ−Ｍ５により回転駆動されるロ−ラ−８ｃと従動ロ−ラ−８ｄとにベルト８ｅが掛けられ、そのベルト８ｃの回転により上部の覆土ホッパ−８ａ内の覆土を定量づつ繰出し、この装置８の下をくぐるように移送される苗箱４内にその覆土が供給されていく。
【００２２】
棒状・霧状灌水装置９は、ポンプＰで送られる水が電磁弁ＳＶ１を通過して（この時、電磁弁ＳＶ２は閉じられている）霧状灌水パイプ９ａに送られ、そのパイプ下側に開けられた複数の散水孔９ｂから下方へ霧状に散水する霧状灌水部と、ポンプＰで送られる水が電磁弁ＳＶ２を通過して（この時、電磁弁ＳＶ１は閉じられている）棒状灌水パイプ９ｃに送られ、そのパイプ下側に開けられた軸方向に苗箱左右幅程度の長さの長孔９ｄから下方へ薄膜状に散水する棒状灌水部とが設けられており、霧状灌水パイプ９ａ・棒状灌水パイプ９ｃの下方を横切るように苗箱４が移送されて灌水されるように構成されている。野菜・花卉播種時には、切り換えスイッチＳＷを野菜・花卉位置に切り換えると、ポンプＰが作動して霧状灌水部から霧状に散水して覆土の飛散や種子の移動を防止して灌水し、水稲播種時には、切り換えスイッチＳＷを水稲位置に切り換えると、ポンプＰが作動して棒状灌水部から薄膜状に散水して高能率に灌水する。
【００２３】
野菜・花卉播種作業では、移送上手側の第１コンベア１ａの始端部に載せられた苗箱４…が、初めに床土供給装置５、鎮圧・均平装置６で床土が詰められて鎮圧・均平され、次に播種コンベア２に引き継がれて点播型播種装置７ａで播種され、そして第３コンベア３に引き継がれて覆土供給装置８、棒状・霧状灌水装置９で覆土され霧状灌水されて播種作業が完了する。このとき、散播型播種装置７ｂは作動しない。
【００２４】
散播型播種装置７ｂは、種子ホッパ−３０ａと種子繰出部３０ｂからなる。種子繰出部３０ｂは、ホッパ−３０ａ内の種子を定量ずつ繰り出す繰出ロ−ラ−３０ｃがモ−タ−Ｍ６により回転駆動されるように設けられている。この散播型播種装置７ｂにより、この下をくぐるように移送される苗箱４の床土上面に一様に種子が播種されていく。
【００２５】
尚、タイムチャ−トに示されるように、野菜・花卉播種作業時と水稲播種作業時の切り換えは、切り換えスイッチＳＷを切り換えるだけで、作動できるようになっている。次に、上記の播種機を用いた播種作業の説明をする。野菜・花卉播種作業時には、まず、切り換えスイッチＳＷを野菜・花卉位置に切り換える。すると、点播型播種装置７ａの播種位置前（播種穴形成位置）まで、第１コンベア１ａ、第２コンベア１ｂ、播種コンベア２が苗箱４…を連続移送し、次に、点播型播種装置７ａが作動するとともに間歇移送状態に切り替わり、播種が完了すると再び連続移送状態になる。播種コンベア２が間歇移送状態のときは、第１コンベア１ａ・第２コンベア１ｂが移送停止し、播種コンベア２が連続移送状態のときは、第１コンベア１ａ・第２コンベア１ｂが連続移送状態となる。第３コンベア３は常時連続移送状態である。また、棒状・霧状灌水装置９はポンプＰが作動し霧状灌水状態となっている。このとき、散播型播種装置７ｂは播種作動しない。
【００２６】
次に、水稲播種作業時は、切り換えスイッチＳＷを水稲位置に切り換える。このとき、第１コンベア１ａ、第２コンベア１ｂ、播種コンベア２、第３コンベア３は全て連続移送状態になる。また、鎮圧・均平装置６は鎮圧ロ−ラ−６ａ・６ａが鎮圧非作用状態に切り替わり、棒状・霧状灌水装置９はポンプＰが作動し棒状灌水状態となる。このとき、点播型播種装置７ａは播種作動しない。
【００２７】
そして、この各野菜・花卉播種作業と水稲播種作業において、鎮圧・均平装置６が作用する苗箱４を移送する第２コンベア１ｂの移送速度Ｖ２を他のコンベア１ａ・２・３の移送速度Ｖ１よりも早く構成したので、床土供給装置５にて床土が供給された連続状態の苗箱４を後続の苗箱４から引き離して、鎮圧・均平装置６が作用する苗箱４の後端とその後続の苗箱４の前端との間に隙間ができ、該隙間より鎮圧・均平装置６にて余分な床土が適切に排除されるので、良好なる均平作用が行なえて後工程の播種及び覆土作業も適切となり、精度の良い播種作業が行なえる。
【００２８】
尚、野菜・花卉播種作業時は、苗箱４内に育苗ポットＰを嵌め込んで、各ポットｐ…内に播種していくが、水稲播種作業時は育苗ポットＰは用いず直接苗箱４内に床土を詰めて播種される。図１４は、第２実施例を示す播種機の側面図であって、第３コンベア３の終端に遊転ローラー３２…を設けた作業台３３を接続したものであり、この作業台３３上で播種された苗箱４に識別マーク３４を取り付けることができるように構成されている。
【００２９】
識別マーク３４は、苗箱に播種する種子の種別・育苗管理データ（発芽日数，育苗日数，緑化日数，灌水量，育苗温度等）・出荷データ（播種施設の所在，出荷元，出荷先，出荷日等）が管理できるバーコードより形成されており、苗箱４の側面に設けられた透明なポケット状の差込み部４ａに差し込んで装着できるようになっている。
【００３０】
図１５は、第３実施例を示す播種機の側面図であって、第１コンベア１ａの始端に遊転ローラー３２…を設けた作業台３３を接続したものであり、この作業台３３上で播種する苗箱４に識別マーク３４を取り付けることができるように構成されている。このように、播種作業の前段で識別マーク３４を取り付けるようにすると、第１コンベア１ａの始端部に、識別マーク３４読み取り器を設けて、播種する苗箱４が水稲か野菜・花卉かを判断して前記の播種切り換えスイッチＳＷを自動的に切り換えて、自動的に水稲及び野菜・花卉の各々にその適した播種作業が行なえるように構成できる。
【００３１】
また、識別マーク３４は、バーコード以外に、色にて識別しても良く（例えば、水稲は緑色、野菜は赤色、花卉は黄色のカラー板にする）、形状の異なる板体（例えば、水稲は長方形、野菜は円形、花卉は三角形の板体にする）を苗箱４の側面に装着する構成にしても良い。
【図面の簡単な説明】
【図１】播種機の側面図。
【図２】播種機の伝動構成を示す平面図。
【図３】点播型播種装置の要部構成を示す断面側面図。
【図４】点播型播種装置の要部構成を示す断面正面図。
【図５】播種コンベアの伝動構成を示す作用側面図。
【図６】種子吸着状態を示す点播型播種装置の吸着ノズルの断面図。
【図７】種子放出状態を示す点播型播種装置の吸着ノズルの断面図。
【図８】野菜・花卉播種作業時と水稲播種作業時における播種機各作動部の作動状態を示すタイムチャ−ト。
【図９】棒状・霧状灌水装置の要部を示す平面図。
【図１０】棒状・霧状灌水装置の棒状灌水パイプの作用状態を示す正面図。
【図１１】棒状・霧状灌水装置の霧状灌水パイプの作用状態を示す正面図。
【図１２】鎮圧装置の要部を示す断面側面図。
【図１３】育苗ポットを示す斜視図。
【図１４】第２実施例を示す播種機の側面図。
【図１５】第３実施例を示す播種機の側面図。
【図１６】識別マークの装着例を示す斜視図。
【符号の説明】
Ｐ：育ポット
ｐ：ポット
１ａ：第１コンベア
１ｂ：第２コンベア
２：播種コンベア
３：第３コンベア
４：苗箱
５：床土供給装置
６：鎮圧・均平装置
７ａ：点播型播種装置
７ｂ：散播型播種装置
８：覆土供給装置
９：棒状・霧状灌水装置
【図１】
0003629738.tif 000002
【図２】
0003629738.tif 000003
【図３】
0003629738.tif 000004
【図４】
0003629738.tif 000005
【図５】
0003629738.tif 000006
【図６】
0003629738.tif 000007
【図７】
0003629738.tif 000008
【図８】
0003629738.tif 000009
【図９】
0003629738.tif 000010
【図１０】
0003629738.tif 000011
【図１１】
0003629738.tif 000012
【図１２】
0003629738.tif 000013
【図１３】
0003629738.tif 000014
【図１４】
0003629738.tif 000015
【図１５】
0003629738.tif 000016
【図１６】
0003629738.tif 000017